【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
繊維製品のライフサイクル管理を行うシステムであって、
前記繊維製品の洗浄処理などの各種消耗処理に際し、繊維製品に付帯するＲＦＩＤタグに対する読取り処理で得られるタグ情報を、当該読取り処理を実行したタグリーダより取得する、タグデータ取得部と、
前記タグ情報が取得された繊維製品に対し消耗処理を実行する装置、当該装置の監視装置、および入力インターフェイスのいずれかより、該当消耗処理の処理実績データを取得する、処理実績取得部と、
前記ＲＦＩＤタグのタグ情報に、前記消耗処理の処理実績データを対応付けて、製品情報データベースに格納する、処理実績格納部と、
前記製品情報データベースに格納された処理実績データに基づいて、当該処理実績に所定算定式を演算し、前記処理実績の蓄積度合いに相関する消耗度を、繊維製品個体毎に算定し前記製品情報データベースに格納する、消耗度算定部と、
前記繊維製品の洗浄処理などの各種消耗処理に際して、タグリーダより取得したタグ情報を前記製品情報データベースに照合し、該当消耗度を抽出して、これを出力インターフェイスに出力する、出力処理部と、
を備える、繊維製品ライフサイクル管理システム。
【請求項２】
請求項１において、
前記出力処理部が、前記消耗度が所定の消耗度限界値を超えるか否か判定し、前記消耗度が消耗度限界値を超えていると判定した場合、消耗度が消耗度限界値以上である旨を、対応するタグ情報と共に出力インターフェイスに出力するものであることを特徴とする繊維製品ライフサイクル管理システム。
【請求項３】
請求項１または２において、
前記消耗度算定部が、前記消耗処理の内容毎に定めた消耗度限界値の逆数を算定して、消耗処理内容毎の係数を取得し、この係数に前記処理実績を乗算し、この乗算値を各消耗処理内容毎に合算することで、消耗度を算定するものであることを特徴とする繊維製品ライフサイクル管理システム。
【請求項４】
前記タグデータ取得部が、前記繊維製品の廃棄処理に際し、当該繊維製品に付帯するＲＦＩＤタグに対する読取り処理で得られるタグ情報を、当該読取り処理を実行したタグリーダより取得するものであり、
前記処理実績格納部が、前記廃棄処理に際して得たタグ情報に基づき、前記製品情報データベースにおいて該当繊維製品を特定し、当該繊維製品について廃棄処分の処理実績を格納するものであることを特徴とする繊維製品ライフサイクル管理システム。
【請求項５】
請求項４において、
前記消耗度算定部が、前記廃棄処理された繊維製品個体の処理実績を前記製品情報データベースより抽出し、この廃棄処理までの処理実績を消耗度限界実値として前記係数に乗算し、この乗算値を各消耗処理内容毎に合算した結果が１を超えている場合、所定消耗処理内容の係数に対し、当該所定消耗処理内容の係数で他消耗処理内容の係数の合算値を除した除算値を乗算し、この乗算値を前記所定消耗処理内容の係数として、製品情報データベースにおいて更新登録するものである、ことを特徴とする繊維製品ライフサイクル管理システム。
【請求項６】
繊維製品のライフサイクル管理を行うコンピュータが、
前記繊維製品の洗浄処理などの各種消耗処理に際し、繊維製品に付帯するＲＦＩＤタグに対する読取り処理で得られるタグ情報を、当該読取り処理を実行したタグリーダより取得し、
前記タグ情報が取得された繊維製品に対し消耗処理を実行する装置、当該装置の監視装置、および入力インターフェイスのいずれかより、該当消耗処理の処理実績データを取得し、
前記ＲＦＩＤタグのタグ情報に、前記消耗処理の処理実績データを対応付けて、製品情報データベースに格納し、
前記製品情報データベースに格納された処理実績データに基づいて、当該処理実績に所定算定式を演算し、前記処理実績の蓄積度合いに相関する消耗度を、繊維製品個体毎に算定し前記製品情報データベースに格納し、
前記繊維製品の洗浄処理などの各種消耗処理に際して、タグリーダより取得したタグ情報を前記製品情報データベースに照合し、該当消耗度を抽出して、これを出力インターフェイスに出力する、繊維製品ライフサイクル管理方法。
【請求項７】
繊維製品のライフサイクル管理を行うコンピュータに、
前記繊維製品の洗浄処理などの各種消耗処理に際し、繊維製品に付帯するＲＦＩＤタグに対する読取り処理で得られるタグ情報を、当該読取り処理を実行したタグリーダより取得するステップと、
前記タグ情報が取得された繊維製品に対し消耗処理を実行する装置、当該装置の監視装置、および入力インターフェイスのいずれかより、該当消耗処理の処理実績データを取得するステップと、
前記ＲＦＩＤタグのタグ情報に、前記消耗処理の処理実績データを対応付けて、製品情報データベースに格納するステップと、
前記製品情報データベースに格納された処理実績データに基づいて、当該処理実績に所定算定式を演算し、前記処理実績の蓄積度合いに相関する消耗度を、繊維製品個体毎に算定し前記製品情報データベースに格納するステップと、
前記繊維製品の洗浄処理などの各種消耗処理に際して、タグリーダより取得したタグ情報を前記製品情報データベースに照合し、該当消耗度を抽出して、これを出力インターフェイスに出力するステップと、
を実行させる繊維製品ライフサイクル管理プログラム。
【手続補正２】
【補正対象書類名】明細書
【補正対象項目名】０００６
【補正方法】変更
【補正の内容】
【０００６】
上記課題を解決する本発明の繊維製品ライフサイクル管理システムは、繊維製品のライフサイクル管理を行うシステムであって、前記繊維製品の洗浄処理などの各種消耗処理に際し、繊維製品に付帯するＲＦＩＤタグに対する読取り処理で得られるタグ情報を、当該読取り処理を実行したタグリーダより取得する、タグデータ取得部と、前記タグ情報が取得された繊維製品に対し消耗処理を実行する装置、当該装置の監視装置、および入力インターフェイスのいずれかより、該当消耗処理の処理実績データを取得する、処理実績取得部と、前記ＲＦＩＤタグのタグ情報に、前記消耗処理の処理実績データを対応付けて、製品情報データベースに格納する、処理実績格納部と、前記製品情報データベースに格納された処理実績データに基づいて、当該処理実績に所定算定式を演算し、前記処理実績の蓄積度合いに相関する消耗度を、繊維製品個体毎に算定し前記製品情報データベースに格納する、消耗度算定部と、前記繊維製品の洗浄処理などの各種消耗処理に際して、タグリーダより取得したタグ情報を前記製品情報データベースに照合し、該当消耗度を抽出して、これを出力インターフェイスに出力する、出力処理部と、を備える。
【手続補正３】
【補正対象書類名】明細書
【補正対象項目名】００１１
【補正方法】変更
【補正の内容】
【００１１】
また、本発明の繊維製品ライフサイクル管理方法は、服飾製品等の繊維製品のライフサイクル管理を行うコンピュータが、前記繊維製品の洗浄処理などの各種消耗処理に際し、繊維製品に付帯するＲＦＩＤタグに対する読取り処理で得られるタグ情報を、当該読取り処理を実行したタグリーダより取得し、前記タグ情報が取得された繊維製品に対し消耗処理を実行する装置、当該装置の監視装置、および入力インターフェイスのいずれかより、該当消耗処理の処理実績データを取得し、前記ＲＦＩＤタグのタグ情報に、前記消耗処理の処理実績データを対応付けて、製品情報データベースに格納し、前記製品情報データベースに格納された処理実績データに基づいて、当該処理実績に所定算定式を演算し、前記処理実績の蓄積度合いに相関する消耗度を、繊維製品個体毎に算定し前記製品情報データベースに格納し、前記繊維製品の洗浄処理などの各種消耗処理に際して、タグリーダより取得したタグ情報を前記製品情報データベースに照合し、該当消耗度を抽出して、これを出力インターフェイスに出力する。
【手続補正４】
【補正対象書類名】明細書
【補正対象項目名】００１２
【補正方法】変更
【補正の内容】
【００１２】
また、本発明の繊維製品ライフサイクル管理プログラムは、繊維製品のライフサイクル管理を行うコンピュータに、前記繊維製品の洗浄処理などの各種消耗処理に際し、繊維製品に付帯するＲＦＩＤタグに対する読取り処理で得られるタグ情報を、当該読取り処理を実行したタグリーダより取得するステップと、前記タグ情報が取得された繊維製品に対し消耗処理を実行する装置、当該装置の監視装置、および入力インターフェイスのいずれかより、該当消耗処理の処理実績データを取得するステップと、前記ＲＦＩＤタグのタグ情報に、前記消耗処理の処理実績データを対応付けて、製品情報データベースに格納するステップと、前記製品情報データベースに格納された処理実績データに基づいて、当該処理実績に所定算定式を演算し、前記処理実績の蓄積度合いに相関する消耗度を、繊維製品個体毎に算定し前記製品情報データベースに格納するステップと、前記繊維製品の洗浄処理などの各種消耗処理に際して、タグリーダより取得したタグ情報を前記製品情報データベースに照合し、該当消耗度を抽出して、これを出力インターフェイスに出力するステップと、を実行させる。